(57)【要約】【課題】エッジライト型のＬＥＤバックライト装置を用いた液晶表示装置において、低消費電力化及び高コントラスト化を図る。【解決手段】映像を表示する液晶表示パネル３と、前記液晶表示パネルを背面から照光するＬＥＤバックライト装置と、を備える液晶表示装置であって、前記液晶表示パネル３は、垂直方向に分割された複数の第１領域と水平方向に分割された複数の第２領域とを有し、前記ＬＥＤバックライト装置は、ＬＥＤ光源１と１つのエッジライト型導光板２とを有し、前記ＬＥＤ光源１は、前記導光板２の上辺及び下辺のうち少なくとも一辺に沿って配置され、且つ、前記第２領域のそれぞれに対応する少なくとも１つのＬＥＤ６を有し、且つ、前記第２領域に表示される映像の明暗度に応じて前記ＬＥＤ６の光量を制御されるように構成されることを特徴とする液晶表示装置。【選択図】図１
2010219192.tif 000002
【特許請求の範囲】
【請求項１】
映像を表示する液晶表示パネルと、前記液晶表示パネルを背面から照光するＬＥＤバックライト装置と、を備える液晶表示装置であって、
前記液晶表示パネルは、垂直方向に分割された複数の第１領域と水平方向に分割された複数の第２領域とを有し、
前記ＬＥＤバックライト装置は、ＬＥＤ光源と１つのエッジライト型導光板とを有し、
前記ＬＥＤ光源は、前記導光板の上辺及び下辺のうち少なくとも一辺に沿って配置され、且つ、前記第２領域のそれぞれに対応する少なくとも１つのＬＥＤを有し、且つ、前記第２領域に表示される映像の明暗度に応じて前記ＬＥＤの光量を制御されるように構成されることを特徴とする液晶表示装置。
【請求項２】
前記映像は、前記第１領域ごとに時分割表示され、
前記ＬＥＤ光源は、前記時分割表示される映像の明暗度に応じて前記ＬＥＤの光量を制御するように構成されることを特徴とする請求項１記載の液晶表示装置。
【請求項３】
前記ＬＥＤは、Ｒ、Ｇ、Ｂの３種類のＬＥＤを有し、
前記ＬＥＤ光源は、前記第２領域に表示される映像の色合いに応じて前記３種類のＬＥＤのそれぞれの光量を制御することを特徴とする請求項１又は２記載の液晶表示装置。
【請求項４】
前記ＬＥＤ光源は、前記ＬＥＤを点滅させることにより前記ＬＥＤの光量を制御することを特徴とする請求項１乃至３のいずれか１項記載の液晶表示装置。
【請求項５】
前記第１領域ごとに時分割表示される映像は、前記液晶表示パネルの上から下へ順次スキャニングされることを特徴とする請求項２乃至４のいずれか１項記載の液晶表示装置。
【請求項６】
前記ＬＥＤ光源と前記導光板との間に、前記ＬＥＤ光源から放出した光を前記導光板の入光面に垂直な方向へと導く集光レンズを挿入したことを特徴とする、請求項１乃至５のいずれか１項記載の液晶表示装置。
【請求項７】
前記ＬＥＤ光源は、前記導光板の上辺に沿って配置される第１ＬＥＤ光源と前記導光板の下辺に沿って配置される第２ＬＥＤ光源とを有し、且つ、前記第１ＬＥＤ光源と前記第２ＬＥＤ光源とは、互いに同数のＬＥＤが対向配置され、
前記第１領域は、１つの上側領域、１つの下側領域及び１つ又は２つの中央領域を有し、
前記ＬＥＤ光源は、前記上側の領域の映像に対しては前記第１ＬＥＤ光源を制御し、前記下側の領域の映像に対しては前記第２ＬＥＤ光源を制御し、前記中央の領域の映像に対しては、前記第１ＬＥＤ光源と前記第２ＬＥＤ光源を制御することを特徴とする請求項１乃至６のいずれか１項記載の液晶表示装置。
【請求項８】
前記導光板は、前記第１ＬＥＤ光源の光が前記上側の領域と前記中央の領域とを光らせ、前記第２ＬＥＤ光源の光が前記下側の領域と前記中央の領域とを光らせるように構成されている請求項７記載の液晶表示装置。
【請求項９】
映像を表示する液晶表示パネルと、前記液晶表示パネルを背面から照光するＬＥＤバックライト装置と、を備える液晶表示装置における照明制御方法であって、
前記液晶表示パネルは、垂直方向に分割された複数の第１領域と水平方向に分割された複数の第２領域とを有し、
前記ＬＥＤバックライト装置は、ＬＥＤ光源と１つのエッジライト型導光板とを有し、
前記ＬＥＤ光源は、前記導光板の上辺及び下辺のうち少なくとも一辺に沿って配置され、且つ、前記第２領域のそれぞれに対応する少なくとも１つのＬＥＤを有し、
前記第２領域に表示される映像の明暗度に応じて前記ＬＥＤの光量を制御することを特徴とする液晶表示装置における照明制御方法。
【発明の詳細な説明】
【技術分野】
【０００１】
本発明は、導光板を用いたＬＥＤバックライト装置を用いた液晶表示装置及び液晶表示装置における照明制御方法に関する。
【背景技術】
【０００２】
液晶表示パネルなどの光変調素子をその背後から照光するバックライトとして、ＬＥＤバックライトが注目されている。ＬＥＤバックライト装置の光源には、白色ＬＥＤによる白色光や、Ｒ（赤）、Ｇ（緑）、Ｂ（青）の３色のＬＥＤの光を混色して白色光を得る構成のものがある。上記白色ＬＥＤには、例えばＢ（青）のような短波長ＬＥＤに蛍光体を組み合わせて白色を得る構成のものがある。
【０００３】
また、ＬＥＤバックライト装置の構造には、液晶表示パネルの裏側に複数のＬＥＤをマトリクス状に配置して液晶表示パネルを一様に照光する直下型と呼ばれる構造や、光を一様に拡散する性質を有する導光板を用い、導光板の側面に複数のＬＥＤを配置し液晶表示パネルを一様に照光するエッジライト型と呼ばれる構造が知られている（特許文献１）。
【先行技術文献】
【特許文献】
【０００４】
【特許文献１】特開平１０−１８６３１１号公報
【発明の概要】
【発明が解決しようとする課題】
【０００５】
エッジライト型のＬＥＤバックライト装置は、直下型に比べ、使用するＬＥＤの数が少なく低コストで製造できるという利点があるが、液晶表示パネル全体を一様に照光するため、直下型のように、部分的に輝度の濃淡をつけることができない、という問題があった。
【０００６】
本発明は、上記従来技術の状況に鑑み、エッジライト型のＬＥＤバックライト装置を用いた液晶表示装置において、低消費電力化及び高コントラスト化を図ることである。
【課題を解決するための手段】
【０００７】
上記課題を解決するために、本発明に係る液晶表示装置は、映像を表示する液晶表示パネルと、前記液晶表示パネルを背面から照光するＬＥＤバックライト装置と、を備える液晶表示装置であって、
前記液晶表示パネルは、垂直方向に分割された複数の第１領域と水平方向に分割された複数の第２領域とを有し、
前記ＬＥＤバックライト装置は、ＬＥＤ光源と１つのエッジライト型導光板とを有し、
前記ＬＥＤ光源は、前記導光板の上辺及び下辺のうち少なくとも一辺に沿って配置され、且つ、前記第２領域のそれぞれに対応する少なくとも１つのＬＥＤを有し、且つ、前記第２領域に表示される映像の明暗度に応じて前記ＬＥＤの光量を制御されるように構成されることを特徴とする。
また、本発明に係る照明制御方法は、映像を表示する液晶表示パネルと、前記液晶表示パネルを背面から照光するＬＥＤバックライト装置と、を備える液晶表示装置における照明制御方法であって、
前記液晶表示パネルは、垂直方向に分割された複数の第１領域と水平方向に分割された複数の第２領域とを有し、
前記ＬＥＤバックライト装置は、ＬＥＤ光源と１つのエッジライト型導光板とを有し、
前記ＬＥＤ光源は、前記導光板の上辺及び下辺のうち少なくとも一辺に沿って配置され、且つ、前記第２領域のそれぞれに対応する少なくとも１つのＬＥＤを有し、
前記第２領域に表示される映像の明暗度に応じて前記ＬＥＤの光量を制御することを特徴とする。
【発明の効果】
【０００８】
本発明に係る液晶表示装置及び照明制御方法によれば、エッジライト型のＬＥＤバックライト装置を用いた液晶表示装置において、低消費電力化及び高コントラスト化を図ることができる。
【図面の簡単な説明】
【０００９】
【図１】本発明に係る液晶表示装置の構成を示す概略図である。
【図２】実施例１に係る液晶表示パネルとＬＥＤバックライト装置の動作を示す概略図である。
【図３】実施例２に係る液晶表示パネルとＬＥＤバックライト装置の動作を示す概略図である。
【図４】実施例２に係る液晶表示パネルとＬＥＤバックライト装置の動作を示す概略図である。
【図５】実施例２に係る液晶表示パネルとＬＥＤバックライト装置の動作を示す概略図である。
【図６】実施例３に係る液晶表示パネルの動作を示す概略図である。
【図７】実施例４に係る液晶表示装置の一部を示す構成図である。
【発明を実施するための形態】
【００１０】
以下、本発明の実施の形態の導光板を用いたＬＥＤバックライト装置を用いた液晶表示装置及び液晶表示装置における照明制御方法を、図面を参照しながら詳細に説明する。以下の図面の記載において、同一又は類似の部分には同一又は類似の符号を付している。ただし、図面は模式的なものであり、現実のものとは異なる。また、図面相互間においても互いの寸法の関係や比率が異なる部分が含まれている場合がある。
【実施例１】
【００１１】
図１は、本発明の実施例１に係るエッジライト型ＬＥＤバックライト装置を用いた液晶表示装置の構成を示す概略図である。図２は本発明の実施例１に係る液晶表示パネルとＬＥＤバックライト装置の動作を示す概略図である。
【００１２】
図１を用いて、本実施例に係る液晶表示装置１０の構成について説明する。液晶表示装置１０は、ＬＥＤ光源１と、導光板２と、液晶表示パネル３と、液晶駆動部４と、ＬＥＤ駆動部５と、を備える。ＬＥＤ光源１と導光板２とＬＥＤ駆動部５とを合わせて、本発明のＬＥＤバックライト装置と換言できる。ＬＥＤ光源１は、白色光を出力する複数のＬＥＤ６を備え、導光板２の上辺及び下辺（図１における上下側面）に沿って配置される。上下側面に配置されるＬＥＤ光源１は、それぞれ同数のＬＥＤ１を有する。導光板２は、１つの液晶表示パネルに対し1つの例えばアクリル板で形成され、導光板２の側面（入光面）に配置したＬＥＤ光源１から入光する白色光が導光板２の内部を直進し、導光板２の一方の表面を照光するように構成される。このように構成される導光板２は、特にエッジライト型導光板と呼ばれる。液晶表示パネル３は、後述される制御信号により液晶配向を制御して光の透過率を変化させるように構成され、図示しない拡散フィルムと光学フィルムとを介して導光板２の一方の表面上に配置される。
【００１３】
また、液晶表示装置１０の動作上、液晶表示パネル３は、垂直方向に上部３１、中央部３２、下部３３の表示領域（本発明の第１領域）に３分割され、更にそれぞれの表示領域は、水平方向に複数の点灯領域（本発明の第２領域）に分割され、時分割表示される。本実施例では、上部３１→中央部３２→下部３３、というように順次表示される。
【００１４】
点灯領域の分割数は、図１においては１５であり、１つの点灯領域に対して、少なくとも１つのＬＥＤが設けられる。本実施例では、１５分割の点灯領域に１５のＬＥＤ６を配置（１つの点灯領域に１つのＬＥＤを配置）して構成しているが、分割数を１５に限定するものではなく、また、１つの点灯領域に複数のＬＥＤを配置するようにしてもよい。
【００１５】
液晶駆動部４は、図示しない映像処理部と液晶表示パネル３とＬＥＤ駆動部５とに接続される。ＬＥＤ駆動部５は、図示しない映像処理部と液晶駆動部４とＬＥＤ光源１とに接続される。
【００１６】
次に、図２を用いて、本実施例に係る液晶表示装置１０の動作について説明する。
【００１７】
液晶駆動部４は、図示しない映像処理部が出力するＲ，Ｇ，Ｂの映像信号を受信し、映像信号の明暗度（ＲＧＢ値又はグレー値）に応じて液晶配向を制御することで、液晶表示装置１０の表示を制御している。また、液晶駆動部４は、スキャニングしている表示領域に応じた同期信号をＬＥＤ駆動部５に出力する。ＬＥＤ駆動部５は、映像信号と同期信号とに応じて導光板２の上下側面に沿って配置されたＬＥＤ光源１を同期制御する。
【００１８】
具体例として、図２（ａ）に示すように、液晶駆動部４が上部３１をスキャニングしている場合について説明する。液晶駆動部４は、上部３１の映像信号に応じた制御信号を出力し、中央部３２、下部３３に黒を表示させる。それと同時に液晶駆動部４は、上部３１に対応する同期信号をＬＥＤ駆動部５に出力する。ＬＥＤ駆動部５は、同期信号に基づき上部３１に対応する映像信号のＲＧＢ値を読み取り、各点灯領域の映像信号の明暗度に応じてＬＥＤ光源１を制御する。ＬＥＤ光源１の制御量は、例えば、ＬＥＤに対応する点灯領域におけるＲＧＢ値の積分値から決定することができる。つまり、液晶表示パネル３の上部３１において、点灯領域３１ａ、３１ｂ及び３１ｃが明るい映像である場合、図２（ｂ）に示すように、これらの点灯領域に対応したＬＥＤ６は高輝度となり、それ以外の点灯領域に対応したＬＥＤ６は低輝度又は消灯となる。従って、明るい映像が表示される点灯領域は明るく照光され、それ以外の点灯領域は暗く照光される。
【００１９】
液晶駆動部４は、上部３１の表示後、中央部３２を表示し、次に下部３３を表示する、というように順次スキャニング表示（時分割表示）すると同時に、各表示領域に応じた同期信号をＬＥＤ駆動部５に出力する。ＬＥＤ駆動部５は、同様に、同期信号と各点灯領域の映像信号とに基づきＬＥＤ光源１を連続的に制御する。なお、導光板２の上下側面に配置されるＬＥＤ光源１は、相対するＬＥＤ６毎に同期制御されているので、図2（ｂ）に示すように、上下のＬＥＤが同時点灯する。本実施例に係る液晶表示装置１０の液晶表示パネル３は、上述のような動作を繰り返す。
【００２０】
本実施例に係る液晶表示装置１０は、液晶表示パネル３の表示領域を点灯領域に分割し、各点灯領域に表示する映像の明暗度に応じてＬＥＤ光源１を制御するため、低消費電力化を図ることができ、更に、表示する映像のコントラスト及び色の濃淡を改善することができる。
【００２１】
また、本実施例に係る液晶表示装置１０は、スキャニングしていない表示領域には黒を表示させるため、映像切替時のにじみ（ゴースト）発生を抑制し、動画追従性を改善できる。
【００２２】
また、本実施例に係る液晶表示装置１０は、表示領域を示す同期信号と映像の明るさを示す映像信号とに基づきＬＥＤ光源１を制御する。即ち、暗い映像の点灯領域のＬＥＤ６は、低輝度又は消灯するため、ＬＥＤ光源１における消費電力を低減することができる。
【００２３】
なお、液晶表示装置１０が比較的小型である場合、又はＬＥＤ６が大電流を扱うことができる、即ち十分な発光強度を有する場合、ＬＥＤ光源１は、導光板２の上下いずれか一側面のみに配置しても良く、液晶表示装置１０を安価に提供することができる。
【００２４】
また、ＬＥＤ６は、一定電流による点滅制御することで調光されることが好ましい。その場合、ＬＥＤ駆動部５からパルス状の駆動信号を出力すれば良く、ＬＥＤ６にかかる電気的ストレスが低減でき、信頼性の高いＬＥＤバックライト装置が得られる。
【実施例２】
【００２５】
図３〜５は、液晶駆動部４が上部３１、中央部３２、下部３３を順次スキャニングする場合の本発明の実施例２に係る液晶表示パネルとＬＥＤバックライト装置の動作を示す概略図である。但し、図３〜５において図２と実質的に同一の部分には同一の参照符号を付してその説明を省略する。
【００２６】
本実施例に係る導光板２は、導光板２の上側面（上辺）に配置されたＬＥＤ光源１（第１ＬＥＤ光源）の出力光が上部３１と中央部３２とを照光し、導光板２の下側面（下辺）に配置されたＬＥＤ光源１（第２ＬＥＤ光源）の出力光が下部３３と中央部３２とを照光し、上下側面のＬＥＤ光源１を同時点灯すると、導光板２全面の輝度分布が均一となるように構成されている。また、液晶駆動部４は、映像信号に応じた制御信号を、液晶表示パネル３の上から下に向かって１ラインごとに書込み（水平スキャニング）を行う。また、液晶駆動部４は、スキャニングしている表示領域に応じた同期信号をＬＥＤ駆動部５に出力する。ＬＥＤ駆動部５は、映像信号と同期信号とに応じて導光板２の上下側面に配置されたＬＥＤ光源１を上下独立に制御する。
【００２７】
具体例として、図３（ａ）に示すように、液晶駆動部４が上部３１をスキャニングしている場合について説明する。液晶駆動部４は、上部３１の映像信号に応じた制御信号を出力し、中央部３２、下部３３に黒を表示させる。それと同時に液晶駆動部４は、上部３１に対応する同期信号をＬＥＤ駆動部５に出力する。ＬＥＤ駆動部５は、同期信号に基づき上部３１に対応する映像信号の明暗度（ＲＧＢ値又はグレー値）を読み取り、各点灯領域の映像信号の明暗度に応じてＬＥＤ光源１を制御する。従って、図３（ｂ）に示すように、液晶表示パネル３の上部３１において、点灯領域３１ａ、３１ｂ及び３１ｃが明るい（ＲＧＢ値が高い）映像である場合、これらの点灯領域に対応したＬＥＤ６は点灯又は高輝度となり、それ以外の点灯領域に対応したＬＥＤ６は低輝度又は消灯となる。本実施例において、上部３１のラインをスキャニングしている場合、導光板２の上側面に配置したＬＥＤ光源１のみを制御する。また、下部３３のラインをスキャニングしている場合、導光板２の下側面に配置したＬＥＤ光源１のみを制御する。
【００２８】
次に、図４（ａ）に示すように、液晶駆動部４が中央部３２の１ラインをスキャニングしている場合について説明する。液晶駆動部４は、中央部３２のラインには映像信号に応じた制御信号を出力し、上部３１、下部３３の全てのラインに黒を表示させる。それと同時に液晶駆動部４は、中央部３２に対応する同期信号をＬＥＤ駆動部５に出力する。ＬＥＤ駆動部５は、同期信号に基づき中央部３２に対応する映像信号の明暗度を読み取り、各点灯領域の映像信号の明暗度に応じてＬＥＤ光源１を制御する。従って、図４（ｂ）に示すように、液晶パネル３の中央部３２において、点灯領域３２ａ及び３２ｂが明るい映像である場合、導光板２の上下側面に配置されたＬＥＤ光源１を制御する。
【００２９】
次に、図５（ａ）に示すように、液晶駆動部４が下部３３の１ラインをスキャニングしている場合について説明する。液晶駆動部４は、下部３３のラインには映像信号に応じた制御信号を出力し、上部３１、中央部３２の全てのラインに黒を表示させる。それと同時に液晶駆動部４は、下部３３に対応する同期信号をＬＥＤ駆動部５に出力する。ＬＥＤ駆動部５は、同期信号に基づき下部３３に対応する映像信号の明暗度を読み取り、各点灯領域の映像信号の明暗度に応じてＬＥＤ光源１を制御する。従って、図５（ｂ）に示すように、液晶パネル３の下部３３において、点灯領域３３ａ、３３ｂ及び３３ｃが明るい映像である場合、導光板２の下側面に配置されたＬＥＤ光源１を制御する。
【００３０】
本実施例に係る液晶表示装置１０は、実施例１と同様の効果が得られるほか、各表示領域と各点灯領域とに表示する映像信号の明暗に応じて、導光板２の上下側面に配置したＬＥＤ光源１を上下独立に制御するため、表示する映像のコントラスト及び動画追従性をさらに改善することができる。
【００３１】
また、本実施例に係る液晶表示装置は、上部３１又は下部３３を表示している場合は導光板２の上下側面に配置したＬＥＤ光源１の一方のみを制御するため、消費電力をさらに低減することができる。
【００３２】
また、ＬＥＤ６の白色光は、導光板２の垂直方向の中間程度、本実施例において好ましくは２／３程度まで到達すれば良いため、電流容量が比較的小さいＬＥＤチップをＬＥＤ６として使用できるため、ＬＥＤ光源１を安価に構成することができる。従って、液晶表示装置１０を安価に提供することができる。
【実施例３】
【００３３】
図６は、本発明の実施例３に係る液晶表示パネルの動作を示す概略図である。但し、図６において図２〜５と実質的に同一の部分には同一の参照符号を付してその説明を省略する。
【００３４】
本実施例に係る液晶表示パネルは、実施例１及び２に対し、表示領域３１〜３３の時分割表示方法が異なり、上部３１と下部３３とを同時に表示させることを特徴とする。
【００３５】
具体例として、図６（ａ）に示すように、まず、液晶表示パネル３の上部３１と下部３３との表示領域を同時に表示する。つまり上部３１において、点灯領域３１ａ、３１ｂ及び３１ｃが明るく、同時に、下部３３において、点灯領域３３ａ及び３３ｂが明るい。このとき、各点灯領域に対応するＬＥＤ６が各点灯領域の明暗度に応じて制御される。
【００３６】
次に、図６（ｂ）に示すように、液晶表示パネル３の中央部３２の表示領域を表示する。
【００３７】
本実施例に係る液晶表示パネル３は、上述のような動作を繰り返す。このような動作によっても、実施例１及び２と同様の効果が得られる。
【実施例４】
【００３８】
図７は、本発明の実施例４に係る液晶表示装置の一部を示す構成図である。但し、図７において図１と実質的に同一の部分には同一の参照符号を付してその説明を省略する。
【００３９】
本実施例に係る液晶表示装置は、ＬＥＤ光源１と導光板２との間に集光レンズ７を配置したことを特徴とする。集光レンズ７は、ＬＥＤ６から拡散出力される白色光を一方向に収束させる作用を有する。特に本実施例においては、白色光が、導光板２の入光面に対し垂直方向に収束するように構成される。
【００４０】
本実施例に係る液晶表示装置は、実施例１に対し、複数のＬＥＤ６が出力する白色光の広がりを抑制するため、表示する映像のコントラスト及び動画追従性をさらに改善することができる。
【００４１】
以上、本発明の実施例の一例について説明したが、本発明は係る特定の実施例に限定されるものではなく、特許請求の範囲に記載された本発明の要旨の範囲内において、種々の変形、変更が可能である。例えば、液晶表示パネルが水平方向よりも垂直方向に長く構成されても良い。また、中央部３２は２分割としても良く、点灯領域の分割数も適宜変更しても良い。また、同期信号は、上述した以外の信号或いは出力手段を用いても良い。
【符号の説明】
【００４２】
１    ＬＥＤ光源
２    導光板
３    液晶表示パネル
４    液晶駆動部
５    ＬＥＤ駆動部
６    ＬＥＤ
７    集光レンズ
１０  液晶表示装置
【図１】
2010219192.tif 000003
【図２】
2010219192.tif 000004
【図３】
2010219192.tif 000005
【図４】
2010219192.tif 000006
【図５】
2010219192.tif 000007
【図６】
2010219192.tif 000008
【図７】
2010219192.tif 000009